(57)【要約】【課題】従来のしおりはページの間に挟むものが主流で、どのページまで読んだかしか分からない。粘着面のある付箋を用いて、どの文字まで読んだかを示すこともできるが、書籍を閉じた時に付箋が書籍からはみ出していないと、付箋を貼ったページをすぐに見つけられない。また、粘着力が弱くなるとゴミになってしまう。また、従来のしおりは、固定的な情報しか掲載できない。本発明は以上を解決するものである。【解決手段】  板に、切れ込み、あるいは、複数の穴を開け、粘着テープを切れ込みに通すか、あるいは、穴の一部分、または、全面を覆う形で、粘着テープを板に貼り付け、板の反対側の面に粘着面を露出させ、紙面に反復的に貼り付け可能とする。また、板に記した目印にて、どの行まで読み進んだか表示可能とする。板の代わりに透明の包装体を用いて、包装体に入れた紙片の情報を表示可能とする。以上のようなしおりを提供する。【選択図】図１
2011025534.tif 000002
【特許請求の範囲】
【請求項１】
板又は包装体のいずれか１方の１面に、複数箇所の切れ込みを設け、その切れ込みに粘着テープを通し、粘着テープの端部又は中間部を板に貼り付け、粘着テープの粘着面を紙面に貼り付ける側に露出させたしおり。
【請求項２】
板又は包装体のいずれか１方の１面に、１箇所又は複数箇所の穴を開け、その穴を全部又は一部覆う形で粘着テープの端部又は中間部を板に粘着させ、穴から粘着面を紙面側に露出させたしおり。
【請求項３】
請求項１〜２に紐を設置し、ブックカバー又は書籍に取り付け可能としたしおり。
【請求項４】
請求項１〜３に読書終了位置を記載したしおり。
【発明の詳細な説明】
【技術分野】
【０００１】
本発明は、粘着テープを利用したしおりに関するものである。
【背景技術】
【０００２】
従来のしおりは、矩形の板状、あるいは、書籍やブックカバーに付属する紐状で書籍のページ間に挟み込む形態のものが一般的である。
【０００３】
登録実用新案第３０９４８６５号のように、読み進んだ箇所を指し示す形状をした反復的に貼付け可能な粘着層を設けた付箋型のしおりもある。
【０００４】
登録実用新案第３０２４３１３号のように両面テープあるいは粘着層をもち反復的に貼付け可能で、読み進んだ箇所を指し示すことができる反復的に貼り付け可能なしおりもある。
【先行技術文献】
【特許文献】
【０００５】
【特許文献１】登録実用新案第３０９４８６５号
【特許文献２】登録実用新案第３０２４３１３号
【発明の概要】
【発明が解決しようとする課題】
【０００６】
従来のしおりは書籍のページの間に挟み、どのページまで読んだかしか分からないものが主流である。
【０００７】
粘着面のある付箋を用いてどこまで読んだかを示すこともできるが、読んだページの内部に付箋を張ってしまった場合、書籍を閉じた時に付箋が書籍からはみ出していないと、付箋を貼ったページをすぐに見つけることが困難であるという問題がある。
【０００８】
また、付箋は繰り返し使っていくと、粘着力が弱くなってしまい使えなくなってゴミになってしまう。
【０００９】
また、登録実用新案第３０９４８６５号のように、読み進んだ箇所を指し示す形状をした繰り返し貼り付け可能な粘着層を設けた付箋に似た形状のしおりもあるが、粘着力が弱くなると使えなくなりゴミになる問題点は付箋と同様である。
【００１０】
登録実用新案第３０２４３１３号は、両面テープを板状のしおりに貼ることで、書物の紙面に繰り返し貼り付け可能なしおりを提案している。しおりを紙面から剥がす時に、両面テープがしおりから剥がれて紙面側に貼り付いてしまう場合がある。同登録実用新案第３０２４３１３号は、両面テープの粘着力を、しおり側を強く紙面側を弱くする方法を提案している。しかし、特殊な両面テープが必要である点、紙面側の粘着力が弱くなった時に、両面テープを取り替えるためにしおりから剥がすのが困難であるという問題が生じる。
【００１１】
また、同実用新案第３０２４３１３号は、しおりに粘着層を塗布する方法も提案している。しかし、粘着力が弱くなった場合、繰返し貼り付け可能な特殊な粘着剤を塗布する必要があるいう問題がある。
【００１２】
また、従来のしおりは、単なる板状のもので、しおりに情報を印刷するなど、固定的な情報しか掲載できないという問題がある。
【００１３】
本発明は以上を解決するものである
【課題を解決するための手段】
【００１４】
板に、複数の切れ込み、あるいは、複数の穴を開け、粘着テープを切れ込みに通すか、あるいは、穴の一部分、または、全面を覆う形で粘着テープの端部あるいは中間部が、板に固着するよう貼り付け、板の反対側の面に粘着テープの粘着面を露出させ、粘着面を書籍等の紙面に反復的に貼り付け可能とする。また、板に記した目印にて、どの行まで読み進んだかを表示可能とする。板の代わりに包装体を用いてもよく、透明の物質にて包装体を構成することで、包装体の内部に入れた紙片等の物体の情報を表示することが可能となる。包装体の１辺に粘着テープ交換用の穴を設けることで、その穴と包装体のもう１辺にある紙片交換用の穴から容易に粘着テープの交換を可能とする。以上のような構造のしおり。
【発明の効果】
【００１５】
書籍等の紙面に張り付け、どの行、あるいは、どの文字までを読んだかを示すことを可能となる。
【００１６】
また、書籍等の紙面に貼り付くため、書籍に挟んだしおりが落ちることがない。さらに、粘着力が弱くなった場合には、粘着テープを交換することで繰り返し使用可能である。
【００１７】
また、書籍等の紙面から板状の本発明を剥がす時に、図１３のように、板に貼り付けられた粘着テープ（１５）が、せん断方向（２１）の力を受けるとともに、板に圧着される方向（２２）の力も受けるため、板に貼り付けられた粘着テープ（１５）は板から容易に剥がれず、紙面と粘着テープの粘着面（１６）の方が相対的に剥がれ易くなる。そのため、両面テープをしおりに貼り付ける登録実用新案第３０２４３１３号の方法で要求される紙面側としおり面側の接着力が異なる特殊な両面テープを必要とせず、汎用的な粘着テープを用いることが可能となる。
【００１８】
また、粘着テープの粘着力は紙面から容易に剥がせる程度であるので、紙面の粘着力が弱くなった場合に、しおりに貼り付けた粘着テープを交換するために比較的楽に剥がすことが可能である。
【００１９】
また、透明の包装体を用いることで、包装体に収納される各種情報を記載した紙片等を可視化できる。
【図面の簡単な説明】
【００２０】
【図１】板に２箇所の切れ込みを入れた形状の本発明を紙面に接する側から見た平面図
【図２】板に２箇所の切れ込みを入れた形状の本発明を紙面に接さない側から見た平面図
【図３】板に２箇所の切れ込みを入れた形状の本発明の側面図
【図４】板に４箇所の切れ込みを入れた形状の本発明を紙面に接さない側から見た平面図
【図５】包装体に２箇所の切れ込みを入れた形状の本発明を紙面に接する側のから見た平面図
【図６】包装体に２箇所の切れ込みを入れた形状の本発明を紙面に接さない側から見た平面図
【図７】板に１箇所の穴を開けた形状の本発明を紙面に接さない側から見た平面図
【図８】包装体に２箇所の穴を開けた形状の本発明を紙面に接さない側から見た平面図
【図９】板状の本発明に紐を設置しブックカバーに取り付けた状態の図
【図１０】板状の本発明を書籍の紙面に貼り付けた状態の図
【図１１】包装体状の本発明を書籍の紙面に貼り付けた状態の図
【図１２】板状の本発明を紐で取り付けたブックカバーを書籍に取り付け、板状の本発明を書籍の紙面に貼り付けた状態の図
【図１３】書籍の紙面から板状の本発明を剥がす時に粘着テープと板の間に働く力の方向を表す図
【発明を実施するための形態】
【００２１】
本発明の構造について説明する。
【００２２】
図１のように、板（１）の表面に２箇所切れ込み（２）を入れ、切れ込みに（２）に粘着テープ（３）を通し、粘着テープ（３）を板（１）の紙面に接さない面に貼り付け、紙面に接する面に粘着テープ（３）の粘着面を露出させることで、紙面に繰り返し貼り付け可能とする。
【００２３】
また、図２のように、板（１）の紙面に接さない面に、読書終了位置表示（４）を記載し、読んだ行に合わせて貼り付けることで、どこまで読んだかを表示可能としてもよい。
【００２４】
図３は、図１の本発明の側面図で、板に貼り付けられた粘着テープ（１５）が、切れ込み（２）を通して、板（１）の反対側の面に、粘着テープの粘着面（１６）を露出した形態を示している。
【００２５】
図４のように、板（１）に切れ込み（２）を４箇所入れ、粘着テープ（３）の端を板（１）に貼り付け、切れ込み（２）を通して、板（１）の反対側に粘着面を露出し、さらに切れ込み（２）を通して板に貼り付けることを繰り返し、複数の粘着面を露出してもよい。
【００２６】
図５のように、包装体（６）の１面に切れ込み（２）を入れ、粘着テープ（３）を切れ込み（２）に通して、粘着テープ（３）を包装体（６）の紙面に接さない面に張り付け、紙面に接する面に粘着テープ（３）の粘着面を露出させることで、紙面に繰り返し貼り付け可能なしおりを構成してもよい。
【００２７】
図５において、粘着テープ張り替え用穴（８）と紙片交換用穴（９）から粘着力が弱くなった粘着テープ（３）を容易に交換可能である。
【００２８】
図５において、包装体（６）を透明な物体で構成し、紙片（７）を入れることで、紙片の情報を表示可能とし、紙片交換用穴（９）に紙片を交換可能とすることで、様々な情報を表示可としてもよい。
【００２９】
図６のように、紙面に接さない側に、読書終了位置表示（４）を記載し、読んだ行に合わせて紙面に貼り付けることで、どこまで読んだかを表示可能としてもよい。
【００３０】
図７のように、板（１）に穴（１０）を開け、穴（１０）を覆う形で粘着テープ（３）を板（１）に貼り付け、穴（１０）から粘着面が露出し、紙面に繰り返し貼り付け可能としてもよい。
【００３１】
図８のように、包装体（６）に２箇所の穴（１０）を開け、穴（１０）の一部を覆う形で粘着テープ（３）を包装体に貼り付け、粘着テープ（３）の粘着面を穴（１０）から露出させ、紙面に繰り返し貼り付け可能なしおりを構成してもよい。
【００３２】
図９は、図１で表されるしおり（１１）に紐（１２）を取り付け、ブックカバー（１４）に紐留め（１３）で取り付けたものを表す。
【００３３】
本発明の実施の方法について説明する。
【００３４】
図１０は、書籍（１７）に、板に粘着テープを貼り付けた形状の本発明（１８）を読み進んだ行、文字に読書終了位置表示（４）を合わせて貼り付けた状態を示している。
【００３５】
図１１は、書籍（１７）に、包装体に粘着テープを貼り付けた形状の本発明（１９）を読み進んだ行、文字に読書終了位置表示（４）を合わせて貼り付けた状態を示している。
【００３６】
図１２は、板に粘着テープを貼り付けた形状の本発明（１８）をブックカバー（１４）に取り付け、ブックカバー（１４）を書籍（１７）に取り付けた状態で、板に粘着テープを貼り付けた形状の本発明（１８）を読み進んだ行、文字に読書終了位置表示（４）を合わせて貼り付けた状態を示している。
【符号の説明】
【００３７】
（１）板
（２）切れ込み
（３）粘着テープ
（４）読書終了位置表示
（５）孔
（６）包装体
（７）紙片
（８）粘着テープ張り替え用穴
（９）紙片交換用穴
（１０）穴
（１１）しおり
（１２）紐
（１３）紐留め
（１４）ブックカバー
（１５）板に貼り付けられた粘着テープ
（１６）粘着テープの粘着面
（１７）書籍
（１８）板に粘着テープを貼り付けた形状の本発明
（１９）包装体に粘着テープを貼り付け形状の本発明
（２０）書籍の紙面
（２１）せん断方向
（２２）板に圧着される方向
【図１】
2011025534.tif 000003
【図２】
2011025534.tif 000004
【図３】
2011025534.tif 000005
【図４】
2011025534.tif 000006
【図５】
2011025534.tif 000007
【図６】
2011025534.tif 000008
【図７】
2011025534.tif 000009
【図８】
2011025534.tif 000010
【図９】
2011025534.tif 000011
【図１０】
2011025534.tif 000012
【図１１】
2011025534.tif 000013
【図１２】
2011025534.tif 000014
【図１３】
2011025534.tif 000015